(57)【要約】【課題】処理槽の過剰乾燥や乾燥不足を検知し、これに適した対応を自動的に実施することができるし渣分解処理装置を提供すること。【解決手段】内部に充填したセラミックボール１をし渣２と共に攪拌する処理槽３と、該処理槽３に熱風を供給する熱風供給装置４とを備え、汚水５から分離したし渣２を発酵分解し乾燥処理するし渣分解処理装置において、処理槽３内の絶対湿度と外気の絶対湿度をそれぞれ経時的に測定するセンサ６１、６２を備え、両方の絶対湿度が略同一になった場合に熱風の供給を停止する熱風制御装置６と、処理槽３の相対湿度を経時的に測定するセンサ７１を備え、該相対湿度が約１００％となった場合に処理槽３の外部への排気風量を増大させる排気風量制御装置７とを設ける。【選択図】図１
2005305229.tif 000002
【特許請求の範囲】
【請求項１】
内部に充填したセラミックボールをし渣と共に攪拌する処理槽と、該処理槽に熱風を供給する熱風供給装置とを備え、汚水から分離したし渣を発酵分解し乾燥処理するし渣分解処理装置において、処理槽内の絶対湿度と外気の絶対湿度をそれぞれ経時的に測定するセンサを備え、両方の絶対湿度が略同一になった場合に熱風の供給を停止する熱風制御装置を設けたことを特徴とするし渣分解処理装置。
【請求項２】
処理槽の相対湿度を経時的に測定するセンサを備え、該相対湿度が約１００％となった場合に処理槽の外部への排気風量を増大させる排気風量制御装置を設けたことを特徴とする請求項１記載のし渣分解処理装置。
【請求項３】
処理槽と外部の絶対湿度が略同一になった場合に、その後の運転時間を短く変更するとともに、処理槽の相対湿度が約１００％となった場合に、その後の運転時間を長く変更する運転時間切替装置を設けたことを特徴とする請求項１又は２記載のし渣分解処理装置。
【発明の詳細な説明】
【技術分野】
【０００１】
本発明は、し渣分解処理装置に関し、特に、処理槽の過剰乾燥や乾燥不足を検知し、これに適した対応を自動的に実施することができるし渣分解処理装置に関するものである。
【背景技術】
【０００２】
し渣分解処理装置は、汚水処理施設に流入する汚水から分離したし渣を分解・乾燥処理するもので、例えば、処理槽内部に任意の一定直径のセラミックボールを充填し、微生物を保持させ、ボールとし渣を攪拌動作により接触させながら、処理槽内部に熱風を送り込み、処理槽内を一定温度に保つようにしている。
【０００３】
このようなし渣分解処理装置では、基本的には、処理槽内温度や設置動力の低減を考慮し、乾燥に関してはできるだけ長い滞留時間を設けている。
また、槽内温度や、水分を外へ持ち出す排気風量は一定としている場合が多く、一例を挙げると、乾燥処理系統の運転時間は２４時間、処理槽の槽内温度はヒータのオン・オフ運転により４０℃程度で運転されている。
【０００４】
しかしながら、上記従来のし渣分解処理装置は、槽内温度や外部への排気風量を一定としていることから、し渣量や外気条件によっては、過剰乾燥を引き起こして処理槽内のセラミックボールの摩耗が発生したり、逆に、乾燥処理不足となって十分なし渣の乾燥処理が達成されないという問題があった。
【発明の開示】
【発明が解決しようとする課題】
【０００５】
本発明は、上記従来のし渣分解処理装置の有する問題点に鑑み、処理槽の過剰乾燥や乾燥不足を検知し、これに適した対応を自動的に実施することができるし渣分解処理装置を提供することを目的とする。
【課題を解決するための手段】
【０００６】
上記目的を達成するため、本発明のし渣分解処理装置は、内部に充填したセラミックボールをし渣と共に攪拌する処理槽と、該処理槽に熱風を供給する熱風供給装置とを備え、汚水から分離したし渣を発酵分解し乾燥処理するし渣分解処理装置において、処理槽内の絶対湿度と外気の絶対湿度をそれぞれ経時的に測定するセンサを備え、両方の絶対湿度が略同一になった場合に熱風の供給を停止する熱風制御装置を設けたことを特徴とする。
【０００７】
この場合において、処理槽の相対湿度を経時的に測定するセンサを備え、該相対湿度が約１００％となった場合に処理槽の外部への排気風量を増大させる排気風量制御装置を設けることができる。
【０００８】
また、処理槽と外部の絶対湿度が略同一になった場合に、その後の運転時間を短く変更するとともに、処理槽の相対湿度が約１００％となった場合に、その後の運転時間を長く変更する運転時間切替装置を設けることができる。
【発明の効果】
【０００９】
本発明のし渣分解処理装置によれば、内部に充填したセラミックボールをし渣と共に攪拌する処理槽と、該処理槽に熱風を供給する熱風供給装置とを備え、汚水から分離したし渣を発酵分解し乾燥処理するし渣分解処理装置において、処理槽内の絶対湿度と外気の絶対湿度をそれぞれ経時的に測定するセンサを備え、両方の絶対湿度が略同一になった場合に熱風の供給を停止する熱風制御装置を設けることから、乾燥処理の達成を処理槽内外の絶対湿度の一致により検知し、自動的に熱風の供給を停止するができ、これにより、し渣の無駄な加熱や過剰乾燥を防止するとともに、ボール摩耗等の２次的なトラブルを防止し、外気条件の変動に影響されない安定したし渣処理をすることができる。
【００１０】
また、処理槽の相対湿度を経時的に測定するセンサを備え、該相対湿度が約１００％となった場合に処理槽の外部への排気風量を増大させる排気風量制御装置を設けることにより、乾燥不足を処理槽の相対湿度により検知して、処理槽の外部への排気風量を自動的に増大させることができ、これにより、処理槽内の蒸発水分量を積極的に系外へと持ち出し、し渣の乾燥効率を向上させることができる。
【００１１】
また、処理槽と外部の絶対湿度が略同一になった場合に、その後の運転時間を短く変更するとともに、処理槽の相対湿度が約１００％となった場合に、その後の運転時間を長く変更する運転時間切替装置を設けることにより、状況に応じた適切な運転時間を選定し、電気消費量を大きく低減した効率のよい処理を行うことができる。
【発明を実施するための最良の形態】
【００１２】
以下、本発明のし渣分解処理装置の実施の形態を、図面に基づいて説明する。
【実施例１】
【００１３】
図１に、本発明のし渣分解処理装置の一実施例を示す。
このし渣処理装置は、内部に充填したセラミックボール１をし渣２と共に攪拌する処理槽３と、該処理槽３に熱風を供給する熱風供給装置４とを備え、汚水５から分離したし渣２を発酵分解し乾燥処理する。
そして、このし渣分解処理装置は、処理槽３内の絶対湿度と外気の絶対湿度をそれぞれ経時的に測定するセンサ６１、６２を備え、両方の絶対湿度が略同一になった場合に熱風の供給を停止する熱風制御装置６と、処理槽３の相対湿度を経時的に測定するセンサ７１を備え、該相対湿度が約１００％となった場合に処理槽３の外部への排気風量を増大させる排気風量制御装置７とを設けている。
また、このし渣分解処理装置は、処理槽３と外部の絶対湿度が略同一になった場合に、その後の運転時間を短く変更するとともに、処理槽３の相対湿度が約１００％となった場合に、その後の運転時間を長く変更する運転時間切替装置８を設けている。
【００１４】
汚水処理施設において、自動微細目スクリーン９で捕捉されたし渣２は、リボンスクリューコンベア１０により処理槽３に送られる。
処理槽３は、低速で回転する円筒状のドラムからなり、内部にセラミックボール１を充填するとともに、セラミックボール１に固定化された微生物により腐敗性有機物を分解する。
セラミックボール１は、処理槽３の回転による混合攪拌で、し渣２の破砕と水分調整を行う働きも有している。
処理槽３で改質・減量化されたし渣２は、処理槽３の排出孔３１から残渣袋３２に自動的に投入される。
【００１５】
熱風供給装置４は、ブロワ４１を備えた空気配管４２により処理槽３内の空気を循環させながら、ヒータ４３で加熱し、この循環する熱風により、処理槽３内のし渣２を乾燥させる。
この循環する空気の一部は、空気配管４２から建築設備の換気・脱臭ダクトを介して外部に排気される。
【００１６】
一方、熱風制御装置６は、処理槽３内の絶対湿度と外気の絶対湿度をそれぞれ経時的に測定するセンサ６１、６２を備え、両方の絶対湿度が略同一になった場合に熱風供給装置４を停止する。
具体的には、処理槽３の出口直近、空気配管４２のフィルタ４４のすぐ下流側に絶対湿度計測センサ６１を設置し、さらに、外気の絶対湿度をモニタリングする絶対湿度計測センサ６２をユニット外に設置する。
この両者のセンサ６１、６２をユニット内の制御装置６に接続し、絶対湿度の差をモニタさせ、その差がゼロとなった時点でヒータ４３とブロワ４１を停止させ、差が生じた時点でヒータ４３とブロワ４１を作動させる。
【００１７】
他方、センサ６１には、相対湿度を測定する機能も備わっており、排気風量制御装置７は、この相対湿度が１００％となった場合に、ブロワ４１に接続したインバータ７２又は空気配管４２に設置した電動弁７３で外部への排気風量を増大させ、積極的に湿気をユニット系外へ排出させる。
なお、相対湿度計測用のセンサ７１は、絶対湿度計測センサ６１とは別に別途設置しても構わない。
【００１８】
また、運転時間切替装置８は、処理槽３と外部の絶対湿度が略同一になった時点、又は処理槽３の相対湿度が約１００％となった時点で、その後の処理槽３の運転時間を自動選択により変更する。
ユニット内の制御装置は、処理槽３、ブロワ及びヒータの運転時間を設定する４種類のタイマ８１を備え、これらのタイマ８１は、それぞれ８時間／日、１２時間／日、１８時間／日、２４時間／日の稼働時間があらかじめ設定されている。
運転時間切替装置８は、過剰乾燥が検知された時は、その時に予定されている時間より短い稼働時間を選択し、乾燥不足が検知された時は長い稼働時間を選択する。
これにより、過剰なヒータの起動及び過剰な風量設定を防止し、今後の運転時間に反映させる。
なお、タイマ８１の個数は４つに限定することはなく、また、タイマ８１の稼働時間数値は任意に変更することができる。
【００１９】
次に、本実施例のし渣分解処理装置の作用を説明する。
処理槽３内にし渣２の水分が存在し、乾燥処理により蒸発している状態であれば、かならず槽内の絶対湿度は処理槽外部の絶対湿度を上回っているはずであり、この差がゼロであるなら処理槽３内に熱量を負荷しても無意味と言える。
したがって、これを２つの絶対湿度センサ６１、６２でモニタリングし、その差がゼロならヒータ４３とブロワ４１を遮断して熱量負荷を停止し過剰乾燥を防止する。
ただし、この時点で熱量負荷が停止されるため、この間水分が処理槽３内に投入されても自然乾燥しか行われないが、排気風量も停止させているため処理槽３内の湿度は上昇する一方であり、これが一定値を超えるとヒータとブロワが再度ＯＮされる。
ここで、熱風温度がハード面に影響する温度まで上昇した場合に備え、熱風が規定温度以上になればヒータ４３を遮断する機能も設けておく。
【００２０】
また、乾燥不足が確認された場合は、処理槽内部の相対湿度は１００％近く生じており、これを１つの相対湿度計７１でモニタリングし、この現象が確認されたら今度はブロワ４１からの排気風量をインバータ７２もしくは電動弁７３の制御により増加させ、処理槽３内の蒸発水分量を積極的に系外へと持ち出す。
【００２１】
なお、通常の２４時間運転では根本的に乾燥処理系統の運転時間が長すぎる場合等も存在するので、４種類程度のタイマ８１をあらかじめ設置し、約８時間／日稼働〜２４時間／日稼働の範囲で４種類稼働時間を設定しておき、乾燥不足の場合は予定より長めの稼働時間、過剰乾燥の場合は短めの稼働時間を自動選定して、今後の運転時間に反映させる。
つまりは、今までは、処理槽３内の温度をある一定値に保つヒータのオン・オフ制御と、一律２４時間運転であったが、本実施例では、ヒータ制御を外部との湿度差によるオン・オフ制御とし、さらにはブロワ風量を調整する機能及び検知後に運転時間を自動調整する機能を加えた運転方法となる。
【００２２】
かくして、本実施例のし渣分解処理装置は、内部に充填したセラミックボール１をし渣２と共に攪拌する処理槽３と、該処理槽３に熱風を供給する熱風供給装置４とを備え、汚水５から分離したし渣２を発酵分解し乾燥処理するし渣分解処理装置において、処理槽３内の絶対湿度と外気の絶対湿度をそれぞれ経時的に測定するセンサ６１、６２を備え、両方の絶対湿度が略同一になった場合に熱風供給装置４の熱風の供給を停止する熱風制御装置６を設けることから、乾燥処理の達成を処理槽内外の絶対湿度の一致により検知し、自動的に熱風の供給を停止するができ、これにより、し渣の無駄な加熱や過剰乾燥を防止するとともに、ボール摩耗等の２次的なトラブルを防止し、外気条件の変動に影響されない安定したし渣処理をすることができる。
そして、処理槽３の相対湿度を経時的に測定するセンサ７１を備え、該相対湿度が約１００％となった場合に処理槽３の外部への排気風量を増大させる排気風量制御装置７を設けることにより、乾燥不足を処理槽３の相対湿度により検知して、処理槽３の外部への排気風量を自動的に増大させることができ、これにより、処理槽内の蒸発水分量を積極的に系外へと持ち出し、し渣の乾燥効率を向上させることができる。
また、処理槽３と外部の絶対湿度が略同一になった場合に、その後のし渣分解処理装置の運転時間を短く変更するとともに、処理槽３の相対湿度が約１００％となった場合に、その後のし渣分解処理装置の運転時間を長く変更する運転時間切替装置８を設けることにより、状況に応じた適切な運転時間を選定し、電気消費量を大きく低減した効率のよい処理を行うことができる。
【００２３】
以上、本発明のし渣分解処理装置について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００２４】
本発明のし渣分解処理装置は、処理槽の過剰乾燥や乾燥不足を検知し、これに適した対応を自動的に実施するという特性を有していることから、汚水処理に関する前処理技術として好適に用いることができる。
単に処理槽内の温度を一定に制御する方式とは異なり、乾燥処理の原理に基づいた制御となるため、信頼性は高く産業上の利用可能性は高い。
【図面の簡単な説明】
【００２５】
【図１】本発明のし渣分解処理装置の一実施例を示す断面図である。
【符号の説明】
【００２６】
１    セラミックボール
２    し渣
３    処理槽
３１  排出孔
３２  残渣袋
４    熱風供給装置
４１  ブロワ
４２  空気配管
４３  ヒータ
４４  フィルタ
５    汚水
６    熱風制御装置
６１  絶対湿度センサ
６２  絶対湿度センサ
７    排気風量制御装置
７１  相対湿度センサ
７２  インバータ
７３  電動弁
８    運転時間切替装置
８１  タイマ
９    自動微細目スクリーン
１０  リボンスクリューコンベア
【図１】
2005305229.tif 000003